(57)【要約】      （修正有）【課題】身体に装着した衣類用ベルトを、不快感を感じることなく取り外すことが可能で、しかも衣類用ベルトの損傷を防止できるバックルを提供する。【解決手段】衣類用ベルト1に設けられる係止穴に先端部を挿入する係止部材２と、係止部材２が回動する中心軸となる回動軸３と、衣類用ベルト１に先端部を挿入した係止部材２を係止して衣類用ベルト１を固定する型枠部材４と、型枠部材４の先端部の内側中央部の表面側から裏面側まで貫通するＵ字形状の溝部６と、溝部６の側面から摺動可能にバネの弾力によって突出する閉塞部材７と、閉塞部材７を摺動させる操作を行なう操作部材８と、を有する衣類用ベルト１のバックル。【選択図】図１
2011239807.tif 000002
【特許請求の範囲】
【請求項１】
衣類用ベルトに設けられる係止穴に先端部を挿入する係止部材と、該係止部材を係止して前記衣類用ベルトを固定する型枠部材と、該型枠部材に設けられた操作部材と、を有し、該操作部材を摺動させ、装着した衣類用ベルトを引き抜くことによってバックルから取り外すことを特徴とする衣類用ベルトのバックル。
【請求項２】
衣類用ベルトに設けられる係止穴に先端部を挿入する係止部材と、該係止部材が回動する中心軸となる回動軸と、前記係止部材を係止して前記衣類用ベルトを固定する型枠部材と、該型枠部材の先端部の内側中央部の表面側から裏面側まで貫通するＵ字形状の溝部と、該溝部の側面から摺動可能にバネの弾力によって突出する閉塞部材と、該閉塞部材を摺動させる操作部材と、を有することを特徴とする衣類用ベルトのバックル。
【請求項３】
前記閉塞部材は、その表面側が平坦面で、裏面側が傾斜面であることを特徴とする請求項２に記載の衣類用ベルトのバックル。
【発明の詳細な説明】
【技術分野】
【０００１】
本発明は、衣類用ベルトのバックルに関するものである。
【背景技術】
【０００２】
一般に衣類用ベルトのバックルは、図６に示すように、係止部材２と回動軸３と型枠部材４とを有する。回動軸３は係止部材２が回動する中心軸となるとともに、衣類用ベルト１の終端部を固定するものである。係止部材２は回動軸３を中心として回動し、係止部材２の先端部が型枠部材４の先端部の表面中央に係止される。そのため、係止部材２が型枠部材４の裏面側まで回動することはない。なお、衣類用ベルト１を装着したときにバックルが身体に接触する側の面を裏面と記し、その裏面と対向する反対側の面を表面と記す。
【０００３】
図６に示すバックルを用いて衣類用ベルトを装着するときは、図７に示すように、衣類用ベルト１に設けられる係止穴５に係止部材２の先端部を挿入し、その係止部材２の先端部を型枠部材４の先端部の表面中央に当接させる。
このようにして装着した後で衣類用ベルト１を取り外すときは、係止部材２を型枠部材４から離隔させるために、衣類用ベルト１を強く引っ張りながら屈曲させる必要がある。そのため、身体が締め付けられて不快感を抱くだけでなく、衣類用ベルト１を繰り返し使用するうちに、屈曲部分が損傷（たとえば染料の剥離，亀裂の発生等）を受ける。
【０００４】
そこで、装着した衣類用ベルトを容易に取り外すことができるとともに、衣類用ベルトが損傷しないバックルが検討されている。
たとえば特許文献１には、短い係止部材を回動させずに固定したバックルが開示されている。このバックルを用いて衣類用ベルトを装着するときは、係止部材が回動しないので容易に係止穴に挿入することができる。しかし、装着した衣類用ベルトを取り外すときは、衣類用ベルト１を強く引っ張りながら屈曲させる必要がある。そのため、屈曲部分が損傷を受け易い。さらに、身体が締め付けられて不快感を抱くという問題も解消されない。
【先行技術文献】
【特許文献】
【０００５】
【特許文献１】特開2006-102026号公報
【発明の概要】
【発明が解決しようとする課題】
【０００６】
本発明は、身体に装着した衣類用ベルトを、不快感を感じることなく簡単に取り外すことが可能で、しかも衣類用ベルトの損傷を防止できるバックルを提供することを目的とする。
【課題を解決するための手段】
【０００７】
本発明は、衣類用ベルトに設けられる係止穴に先端部を挿入する係止部材と、該係止部材を係止して前記衣類用ベルトを固定する型枠部材と、該型枠部材に設けられた操作部材と、を有し、該操作部材を摺動させ、装着した衣類用ベルトを引き抜くことによってバックルから取り外すことを特徴とする衣類用ベルトのバックルである。
また本発明は、衣類用ベルトに設けられる係止穴に先端部を挿入する係止部材と、該係止部材が回動する中心軸となる回動軸と、前記係止部材を係止して前記衣類用ベルトを固定する型枠部材と、該型枠部材の先端部の内側中央部の表面側から裏面側まで貫通するＵ字形状の溝部と、該溝部の側面から摺動可能にバネの弾力によって突出する閉塞部材と、該閉塞部材を摺動させる操作部材と、を有することを特徴とする衣類用ベルトのバックルである。
【０００８】
本発明のバックルにおいては、閉塞部材は、その表面側が平坦面で、裏面側が傾斜面であることが好ましい。
【発明の効果】
【０００９】
本発明によれば、身体に装着した衣類用ベルトを、不快感を感じることなく簡単に取り外すことが可能で、しかも衣類用ベルトの損傷を防止できる。
【図面の簡単な説明】
【００１０】
【図１】本発明のバックルの例を模式的に示す斜視図である。
【図２】図１の溝部近傍を拡大して示す斜視図である。
【図３】図２の閉塞部材を収納した例を模式的に示す斜視図である。
【図４】図１の係止部材が裏面側に回動した例を模式的に示す斜視図である。
【図５】図１に示すバックルに衣類用ベルトを着脱する手順を示す斜視図である。
【図６】従来のバックルの例を模式的に示す斜視図である。
【図７】図６に示すバックルを用いて衣類用ベルトを装着した例を模式的に示す斜視図である。
【発明を実施するための形態】
【００１１】
図１は、本発明のバックルの例を模式的に示す斜視図である。図２は、図１の溝部６近傍を拡大して示す斜視図である。型枠部材４の先端部の内側中央部には表面側から裏面側まで貫通するＵ字形状の溝部６が設けられる。その溝部６の側面から閉塞部材７がバネ（図示せず）の弾力によって摺動可能に突出される。溝部６内では、閉塞部材７の表面側は平坦な面7a（以下、平坦面という）とする一方、裏面側は傾斜を有する面7b（以下、傾斜面という）としているが、平坦面7aと平行な面としても良い。
【００１２】
本発明のバックルを用いて衣類用ベルト１を装着するときは、衣類用ベルト１に設けられる係止穴５に係止部材２の先端部を挿入し、その係止部材２の先端部を型枠部材４の溝部６内に突出した閉塞部材７の平坦面7aに当接させる。このようにして衣類用ベルト１が装着される。
装着した衣類用ベルトを取り外すときは、使用者が指で操作部材８を矢印Ａの方向へ摺動させる。その結果、図３に示すように、閉塞部材７が操作部材８の摺動に連動して型枠部材４の内部に収納され、溝部６が表面側から裏面側まで貫通するので、閉塞部材７の平坦面7aに係止されていた係止部材２が、自重により溝部６を落下して、図４に示すように、型枠部材４の裏面側まで回動する。次いで、この状態で型枠部材４から衣類用ベルトを引き抜くだけで、簡単にバックルから衣類用ベルトを取り外すことができる。
【００１３】
次に、図５を参照して、本発明のバックルを用いて衣類用ベルトを着脱する手順を詳細に説明する。
まず図５(a)に示すように、衣類用ベルト１に設けられる係止穴５に係止部材２の先端部を挿入し、その係止部材２の先端部を閉塞部材２の平坦面に当接させ、衣類用ベルト１が装着される。
【００１４】
装着した衣類用ベルトを取り外すときは、図５(b)に示すように、使用者が指で操作部材８を矢印Ａの方向に操作して閉塞部材７を型枠部材４の内部に収納し、溝部６を表面側から裏面側まで貫通させる。その結果、係止部材２の先端部が自重により型枠部材４の裏面側まで溝部６内を回動落下する。係止部材２，型枠部材４，溝部６，操作部材８の位置関係は図４に示す通りである。
【００１５】
係止部材２の先端部が型枠部材４の裏面側まで溝部６内を自重落下して通り抜けると、使用者は操作部材８から指を離す。
その結果、図５(c)に示すように、バネの弾力によって操作部材８と連動する閉塞部材７が溝部６の側面から突出すると同時に、操作部材８がもとの位置に戻る。溝部６は再び閉塞されるが、係止部材２の先端部は既に型枠部材４の裏面側まで通り抜けているので、係止穴５から係止部材２の先端部を容易に外すことができ、引き続き衣類用ベルト１を型枠部材４から引き抜くことができる。
【００１６】
このようにして、装着した衣類用ベルトを引き抜くだけで、屈曲させることなく簡単に取り外せるので、衣類用ベルトの損傷を防止できる。しかも、身体を締め付ける、あるいは圧迫することなく衣類用ベルトを取り外せるので、不快感を抱くこともない。
衣類用ベルト１を型枠部材４から引き抜いた後、係止部材２の先端部の位置を図５(c)から図５(d)に示す状態に戻す場合には、閉塞部材７の裏面側を傾斜面としておけば、使用者が指の力で係止部材２を回動させるだけで戻すことができる。図５(c)の状態では、溝部６は閉塞部材７によって閉塞されているが、閉塞部材７の裏面側は傾斜面であるため、指の力だけで簡単に係止部材２の先端部をその傾斜面に当接させながらバネの弾力に抗して溝部６内を通過させることができる。図５(d)はこのような操作の途中過程を示すものである。すなわち、係止部材２の回動に伴って、閉塞部材７は徐々に型枠部材４の内部に収納されるとともに、このとき操作部材８も閉塞部材７に連動して移動する。そして、係止部材２の先端部が型枠部材４の表面側まで溝部６内を通り抜けると、バネの弾力によって閉塞部材７が溝部６の側面から再び突出すると同時に、操作部材８も元の位置に戻り、図１に示すように、再び衣類用ベルト１を装着できるようになる。
【００１７】
また閉塞部材７の裏面側は、表面側の平坦面7aと平行であっても良い。この場合は、使用者が指で操作部材８を矢印Ａの方向に操作して閉塞部材７を型枠部材４の内部に収納し、溝部６を図３の状態にすれば、係止部材２の先端部の位置を図５(c)から図５(d) （または図１）に示す状態に戻すことができる。
なお、指で係止部材２を溝部６内の裏面側から表面側まで通過させる操作は、使用者が装着した衣類用ベルトを取り外した後で行なうものであるから、身体を締め付ける、あるいは圧迫することは全くない。
【産業上の利用可能性】
【００１８】
身体に装着した衣類用ベルトを、不快感を感じることなく簡単に取り外すことが可能で、しかも衣類用ベルトの損傷を防止できるバックルであるから、ベルト着脱の簡便性や衣類用ベルトの耐久性の点でも優れた効果を奏する。
【符号の説明】
【００１９】
１  衣類用ベルト
２  係止部材
３  回動軸
４  型枠部材
５  係止穴
６  溝部
７  閉塞部材
7a  平坦面
7b  傾斜面
８  操作部材
【図１】
2011239807.tif 000003
【図２】
2011239807.tif 000004
【図３】
2011239807.tif 000005
【図４】
2011239807.tif 000006
【図５】
2011239807.tif 000007
【図６】
2011239807.tif 000008
【図７】
2011239807.tif 000009